(57)【要約】【課題】  従来技術の構成では、名刺に複数の宛先が記載されている場合に、ユーザが宛先を選択して送信宛先に設定することが出来なかった。本発明の情報処理装置は、このような課題に鑑み、ユーザが選択した宛先を送信宛先として設定できる仕組みを提供することでユーザの操作性を向上することを目的とする。【解決手段】  原稿を読み取って画像データを生成する読取手段と、画像データの文字情報を認識する文字認識手段と、文字認識手段によって認識した文字情報から、複数の宛先を取得する取得手段と、を有する画像送信装置であって、取得手段によって取得された複数の宛先に対する選択を受け付ける受付手段と、複数の宛先のうち選択された宛先を送信宛先として設定する設定手段と、を有することを特徴とする画像送信装置。【選択図】  図９
2019087826.tif 000002
【特許請求の範囲】
【請求項１】
原稿を読み取って画像データを生成する読取手段と、
前記画像データの文字情報を認識する文字認識手段と、
前記文字認識手段によって認識した文字情報から、複数の宛先を取得する取得手段と、
を有する画像送信装置であって、
前記取得手段によって取得された複数の宛先に対する選択を受け付ける受付手段と、
前記複数の宛先のうち選択された宛先を送信宛先として設定する設定手段と、
を有することを特徴とする画像送信装置。
【請求項２】
前記複数の宛先は、ファックス番号と電子メールアドレスを少なくとも含むことを特徴とする請求項１に記載の画像送信装置。
【請求項３】
前記設定手段は、前記ファックス番号と前記電子メールアドレスの一方または両方を送信宛先として設定することを特徴とする請求項２に記載の画像送信装置。
【請求項４】
複数の送信プロトコルの宛先を送信宛先として設定することが可能な第１送信機能を更に有し、
前記設定手段は、前記第１送信機能において、前記複数の宛先のうち選択された宛先を送信宛先として設定することを特徴とする請求項２または３に記載の画像送信装置。
【請求項５】
前記取得手段によって取得された複数の宛先を選択可能に表示させる表示処理手段を更に有し、
前記表示処理手段は、前記設定手段によって前記電子メールアドレスまたは前記電子メールアドレスと前記ファックス番号の両方が送信宛先として設定されると、前記第１送信機能における送信画面を表示させることを特徴とする請求項４に記載の画像送信装置。
【請求項６】
ファックスのみの送信プロトコルの宛先を送信宛先として設定することが可能な第２送信機能と、
前記表示処理手段は、前記第１送信機能において、ファックス番号のみが送信宛先として選択された場合に、前記第２送信機能における送信画面を表示させることを特徴とする請求項５に記載の画像送信装置。
【請求項７】
前記取得手段によって取得した宛先の編集を受け付ける編集手段を更に有し、
前記設定手段によって、送信宛先として設定される前に、前記編集手段による編集を受け付けることを特徴とする請求項１乃至６のいずれか１項に記載の画像送信装置。
【請求項８】
前記設定手段によって設定された送信宛先に所定のデータを送信する送信手段を更に有し、
前記設定手段によって送信宛先を設定した後に、前記読取手段が前記原稿と異なる原稿を読み取って異なる画像データを生成し、
前記送信手段が、前記設定手段によって設定された送信宛先に前記異なるデータを送信することを特徴とする請求項１乃至７のいずれか１項に記載の画像送信装置。
【請求項９】
アドレス帳を記憶する記憶手段と、
前記複数の宛先のうち選択された宛先を前記アドレス帳に登録する登録手段と、を更に有することを特徴とする請求項１乃至８のいずれか１項に記載の画像送信装置。
【請求項１０】
前記取得手段は、宛先の種類を示す文字列に隣接する文字列または数字列を、前記複数の宛先として取得することを特徴とする請求項１乃至９のいずれか１項に記載の画像送信装置。
【請求項１１】
前記原稿が、名刺であることを特徴とする請求項１乃至１０のいずれか１項に記載の画像送信装置。
【発明の詳細な説明】
【技術分野】
【０００１】
本発明は、画像送信装置から画像データを送信する際の送信宛先として、読み取った原稿から得られたアドレス情報を設定する画像送信装置に関する。
【背景技術】
【０００２】
名刺に記載されたアドレスや電話番号などの宛先情報を、画像送信装置（以下、ＭＦＰ（Ｍｕｌｔｉ−Ｆｕｎｃｔｉｏｎ  Ｐｅｒｉｐｈｅｒａｌ）と称する。）が画像データを送信する際の送信宛先として設定する技術が知られている。例えば、特許文献１では、ＭＦＰで名刺を読み取って宛先情報を取得し、ＭＦＰにおいてファクシミリ機能が設定されている場合には、電話番号を宛先情報として取得し、取得した宛先へファクシミリを送信している。また、ＭＦＰにおいてインターネットファクシミリ機能が設定されている場合には、電子メールアドレスを宛先情報として取得し、取得した宛先へメールを送信している。
【先行技術文献】
【特許文献】
【０００３】
【特許文献１】特開２００６−３３３０４１号公報
【発明の概要】
【発明が解決しようとする課題】
【０００４】
しかしながら、従来技術の構成では、名刺に複数の宛先が記載されている場合に、ユーザが宛先を選択して送信宛先に設定することが出来なかった。
【０００５】
本発明の情報処理装置は、このような課題に鑑み、ユーザが選択した宛先を送信宛先として設定できる仕組みを提供することでユーザの操作性を向上することを目的とする。
【課題を解決するための手段】
【０００６】
本発明の画像処理装置は、原稿を読み取って画像データを生成する読取手段と、画像データの文字情報を認識する文字認識手段と、文字認識手段によって認識した文字情報から、複数の宛先を取得する取得手段と、を有する画像送信装置であって、取得手段によって取得された複数の宛先に対する選択を受け付ける受付手段と、複数の宛先のうち選択された宛先を送信宛先として設定する設定手段と、を有することを特徴とする画像送信装置。
【発明の効果】
【０００７】
本発明の情報処理装置によれば、ユーザが選択した宛先を送信宛先として設定できる仕組みを提供することでユーザの操作性を向上することが可能となる。
【図面の簡単な説明】
【０００８】
【図１】ネットワーク構成を示すブロック図
【図２】ＭＦＰの構成を示すブロック図
【図３】ＭＦＰのメニュー画面
【図４】送信キーが選択された際に操作部に表示される送信画面
【図５】名刺読取キーが選択された際に操作部に表示される名刺読取画面
【図６】名刺情報取得処理を示すフローチャート
【図７】名刺情報取得処理を行った後に操作部に表示される名刺読取結果画面
【図８】選択された宛先が送信宛先として設定された送信画面
【図９】ＭＦＰの送信フローチャート
【図１０】ＭＦＰのアドレス登録フローチャート
【図１１】アドレス帳画面およびワンタッチアドレス帳画面
【図１２】ファックスキーが選択された際に操作部に表示されるファックス送信画面
【図１３】アドレス帳の新規宛先登録画面およびワンタッチアドレス帳の新規宛先登録画面
【発明を実施するための形態】
【０００９】
添付図面を参照して本発明の各実施例を詳しく説明する。なお、以下の実施例は特許請求の範囲に係る発明を限定するものではなく、また各実施例で説明されている特徴の組み合わせのすべてが本発明の解決手段に必須のものとは限らない。
【００１０】
（実施例１）
本発明の実施例１を図１〜図８を用いて詳細に説明する。図１は、本発明におけるネットワーク構成を示すブロック図である。
【００１１】
図１は、送信元の一例として画像送信装置（以下、ＭＦＰ１０１）、送信先の一例として画像送信装置（以下、ＭＦＰ１０２）、画像送信装置（以下、ＭＦＰ１０６）を図示している。
【００１２】
図１において、ＭＦＰ１０１、ＭＦＰ１０２、メールサーバ１０３およびＰＣ１０４は、ネットワーク１００を介して通信可能に接続されている。
【００１３】
さらにＭＦＰ１０１とＭＦＰ１０６は、公衆回線網１０５を介して通信可能に接続されている。
【００１４】
ＭＦＰ１０１は、読み取った画像データを含む電子メールを、メールサーバ１０３を介してＭＦＰ１０２またはＰＣ１０４に送信する。
【００１５】
メールサーバ１０３は、ＭＦＰ１０１から受信した電子メールをＭＦＰ１０２が受信する為の電子メールとしてストレージ（不図示）に設けたメールボックスに格納する。
【００１６】
ＭＦＰ１０２は、設定された電子メールの受信アカウントを用いて、ＭＦＰ１０１によって送信された電子メールをメールサーバ１０３のメールボックスから受信する。
【００１７】
ＰＣ１０４は、設定された電子メールの受信アカウントを用いて、ＭＦＰ１０１によって送信された電子メールをメールサーバ１０３のメールボックスから受信する。
【００１８】
ＭＦＰ１０６は、ＭＦＰ１０１からファックス番号を用いて送信されたファクシミリを受信する。
【００１９】
なお、図１においてネットワーク１００は、ローカルネットワークとして記述されている。しかし、例えば、インターネットや、データ送信可能なネットワーク構成なら無線でアクセスポイント（不図示）に接続される構成など、すべてのネットワークを有効な通信手段として用いることが可能である。
【００２０】
次に図２では、本実施例におけるＭＦＰ１０１の構成を示すブロック図を説明する。ＣＰＵ１１１を含む制御部１１０は、ＭＦＰ１０１全体の動作を制御する。ＣＰＵ１１１は、ＲＯＭ１１２またはストレージ１１４に記憶された制御プログラムを読み出して、例えば変換制御や送信制御などの各種制御を行う。
【００２１】
ＲＯＭ１１２は、ＣＰＵ１１１で実行可能な制御プログラムを格納する。また、ＲＯＭ１１２は、ブートプログラムやフォントデータなども格納する。ＲＡＭ１１３は、ＣＰＵ１１１の主記憶メモリであり、ワークエリア、ＲＯＭ１１２およびストレージ１１４に格納された各種制御プログラムを展開するための一時記憶領域として用いられる。ストレージ１１４は、画像データ、印刷データ、各種プログラム、および各種設定情報を記憶する。本実施例はストレージ１１４としてフラッシュメモリを想定しているが、ＳＳＤやＨＤＤなどの補助記憶装置を用いてもよい。
【００２２】
操作部Ｉ／Ｆ１１５は、操作部１１６と制御部１１０を接続する。操作部１１６は、ユーザに情報を表示（表示部）したり、ユーザからの入力を検出したりする。ユーザから検出した入力は、操作部Ｉ／Ｆ１１５を介してＣＰＵ１１１に通知される。そして、ＣＰＵ１１１は通知された入力に基づく制御を行う。
【００２３】
読取部Ｉ／Ｆ１１７は、読取部１１８と制御部１１０を接続する。読取部１１８は、原稿上の画像を読み取り、その画像をバイナリーデータなどの画像データに変換する。ＣＰＵ１１１は、読取部１１８によって生成された画像データを、通信部Ｉ／Ｆ１２３を介して外部装置に送信する制御を行う。
【００２４】
または、ＣＰＵ１１１は、読取部Ｉ／Ｆ１１７および印刷部Ｉ／Ｆ１１９を介して印刷部１２０に画像データを入力させ、記録紙上に入力された画像データに基いて印刷部１２０に印刷させる制御を行ってもよい。さらに、ＣＰＵ１１１は、読取部１１８によって生成された画像データを読取部Ｉ／Ｆを介してストレージ１１４に保存させる制御を行ってもよい。
【００２５】
印刷部Ｉ／Ｆ１１９は、印刷部１２０と制御部１１０を接続する。ＣＰＵ１１１は、印刷部Ｉ／Ｆ１１９を介して印刷対象の画像データを印刷部１２０に入力する制御を行う。印刷部１２０は、給紙カセットから給送された記録紙上に画像を印刷する。
【００２６】
通信部Ｉ／Ｆ１２３は、制御部１１０とネットワーク１００を接続する。ＣＰＵ１１１は、通信部Ｉ／Ｆ１２３を介して、外部装置に画像データやＭＦＰ１０１の内部の各種情報を送信させる制御を行い、ネットワーク１００上の外部装置から印刷データや受信せる制御を行ってもよい。
【００２７】
ネットワークを介した送受信方法としては、前述した電子メールを用いての送受信や、その他のプロトコル（例えば、ＦＴＰやＳＭＢ、ＷＥＢＤＡＶ等）を用いたファイル送信を行う方法がある。ただし、本実施例はこれらの方法に限られない。
【００２８】
ＣＰＵ１１１は、ファックス部Ｉ／Ｆ１２１によりファックス通信部１２２を制御することでＭＦＰ１０１を公衆回線網１０５に接続することが可能である。ファックス部Ｉ／Ｆ１２１は、ファックス通信部１２２を制御する為のＩ／Ｆである。ＣＰＵ１１１は、ファックス部Ｉ／Ｆ１２１を介してファクシミリ通信用のモデムＮＣＵを制御することで公衆回線網への接続、ファクシミリ通信プロトコルの制御などを行う。
【００２９】
なお、本実施例のＭＦＰ１０１は、１つのＣＰＵ１１１が１つのメモリ（ＲＡＭ１１３）を用いて後述するフローチャートに示す各処理を実行するものとするが、本構成に限られない。例えば複数のＣＰＵ、ＲＡＭ、ＲＯＭ、およびストレージを協働させて後述するフローチャートに示す各処理が行われてもよい。また、ＡＳＩＣやＦＰＧＡ等のハードウェア回路を用いて一部の処理が行われてもよい。
【００３０】
次に図３では、ＭＦＰ１０１のメニュー画面４００を説明する。図３に示すメニュー画面４００には、コピーキー４０１、ファックスキー４０３、送信キー４０２が表示される。
【００３１】
コピーキー４０１は、選択されることでコピー機能を利用することが可能となるキーである。ファックスキー４０３は、選択されることで送信プロトコルとしてファックスを利用することが可能となるキーである（ファックス送信機能）。ファックス送信機能では、送信宛先としてファックス番号が設定可能である。送信キー４０２は、選択されることで複数の送信プロトコルを送信宛先として設定することが可能となるキーである（送信機能）。送信機能では、送信宛先として、例えば電子メールとファックス番号が設定可能である。
【００３２】
なお、図３では、例としてコピーキー４０１、ファックスキー４０３、送信キー４０２を示したが、例えば、そのほかの機能を利用することが可能なキーや設定キー等を表示してもよい。
【００３３】
次に図４では、図３に示した送信キー４０２が選択された際に操作部１１６に表示される送信画面５００を説明する。
【００３４】
図４（ａ）に示す送信画面５００には、アドレス帳キー５０１、ワンタッチキー５０２、新規入力キー５０３、名刺読取キー５０４、宛先の指定キー５０５、送信情報設定エリア５０６が配されている。
【００３５】
アドレス帳キー５０１は、選択されることでアドレス帳（アドレス帳機能）が開くキーである。ワンタッチキー５０２は、選択されることでワンタッチアドレス帳（ワンタッチアドレス帳機能）が開くキーである。ワンタッチアドレス帳は、よく使う宛先をワンタッチ宛先として登録しておく機能である。
【００３６】
新規入力キー５０３は、選択されることで宛先の新規入力画面が開くキーである。
【００３７】
宛先の指定キー５０５は、選択されることで後述する図８に示す送信宛先が設定され送信画面５１０と、図４の送信画面５００とを切り替えるキーである。
【００３８】
送信情報設定エリア５０６は、送信情報設定エリア５０６に配された各情報を示し、送信情報設定エリア５０６が選択されることで、送信する画像データのカラーモードや解像度、原稿サイズ、ファイル形式などを指定するエリアである。
【００３９】
名刺読取キー５０４は、選択されることで図５に示す名刺読取画面９００が開くキーである（名刺読取機能）。
【００４０】
次に図５（ａ）、図５（ｂ）では、図４に示した名刺読取キー５０４が選択された際に操作部１１６に表示される名刺読取画面９００を説明する。
【００４１】
図５（ａ）の名刺読取画面９００には、メッセージ９０１と閉じるキー９０２が表示される。閉じるキー９０２は、選択されると名刺読取画面９００を閉じ、名刺読取を終了するキーである。メッセージ９０１は、読取部１１８における名刺の読み取り開始を促すメッセージである。
【００４２】
図５（ａ）において、ユーザがメッセージに従い、ＭＦＰ１０１において名刺の読み取りを開始すると、名刺読取画面９００は、図５（ｂ）に示す名刺読取画面９１０に遷移する。名刺読取画面９１０では、名刺の読み取りを行っている旨のメッセージ９０３を表示する。
【００４３】
ここでは、名刺の読み取り処理として、読取部１１８がＭＦＰ１０１の原稿台に載置された名刺を読み取る。そして、ＣＰＵ１１１は、読み取った画像データに対してＯＣＲ処理（文字認識処理）を行う。さらにＣＰＵ１１１は、ＯＣＲ結果から名刺情報（ファックス番号や電子メールアドレス等の宛先、名称等）を取得し、取得した名刺情報から、ファックス宛先であるか、電子メールアドレスであるか、名称であるか等を判定する。（名刺情報取得処理）。
【００４４】
具体的には、例えば、名称は、名刺の中で一番大きなフォントで表示されることが多いため、フォントサイズから名称であることを判断する。さらに文字数なども合わせて判断材料にして判定してもよい。例えば、ファックス番号は、ＯＣＲ処理結果から”ＦＡＸ”や”ファクス”等の文字列と番号の数字列を含むエリアを抽出する。そして、抽出したエリア中の数字をファックス番号とみなして宛先とする。なお、”ＦＡＸ”や”ファクス”等の文字列に隣接する数字列のみを抽出してもよい。
【００４５】
例えば、電子メールアドレスは、ＯＣＲ処理結果から“Ｅ―ｍａｉｌ”や“メールアドレス”に隣接する文字列、または、”＠”を含む文字列などの条件で電子メールアドレス部分の抽出を行う。抽出したエリア中の文字列を電子メールアドレスとみなして宛先とする。また、例えば、電話番号は、ＯＣＲ処理結果から”ＴＥＬ”や”電話番号”等の文字列と番号の数字列を含むエリアを抽出する。そして、抽出したエリア中の数字をファックス番号とみなして宛先とする。
【００４６】
なお、”ＴＥＬ”や”電話番号”等の文字列に隣接する数字列のみを抽出してもよい。なお、ここでは、原稿台に載置した名刺を読み取る構成を示したが、これに限られない。例えば、ＡＤＦ（Ａｕｔｏ  Ｄｏｃｕｍｅｎｔ  Ｆｅｅｄｅｒ）であってもよい。
【００４７】
次に図６では、図５で説明した名刺情報取得処理を示すフローチャートを説明する。図６のフローチャートに係る処理を実行するためのプログラムは、図２のＲＯＭ１１２またはストレージ１１４に格納されており、ＲＡＭ１１３に読み出されＣＰＵ１１１によって実行される。
【００４８】
名刺情報取得処理が開始すると、ステップＳ１１０８において、ＣＰＵ１１１は、操作部１１６に名刺読取画面９００を表示する。ステップＳ１１０８を終えると、ステップＳ１１０９に遷移する。
【００４９】
ステップＳ１１０９において、操作部Ｉ／Ｆがスタートキーの選択を検出すると、ＣＰＵ１１１は、読取部１１８を制御して原稿台の読み取りを実行し、名刺画像データを生成する。
【００５０】
ステップＳ１１１０において、ＣＰＵ１１１は、生成された名刺画像データに対して画像濃淡情報などから名刺画像データのエッジ検出を行い、名刺画像データを切り出して、得られた名刺画像データをストレージ１１４に保存する。ステップＳ１１１０を終えると、ステップＳ１１１１に遷移する。
【００５１】
ステップＳ１１１１において、ＣＰＵ１１１は、名刺画像データに対してＯＣＲ処理を実施し、得られた文字情報をＲＡＭ１１３に記憶する。そして、ＣＰＵ１１１は、前述したように、取得した文字情報の中から、名称とファックス番号、電子メールアドレスに当たる部分の抽出も行う。なお、後述の図７に示すように、本実施例では電話番号が記載されていない名刺を例として示すが、記載されていてもよい。ステップＳ１１１１を終えると、ステップＳ１１１２に遷移する。
【００５２】
ステップＳ１１１２では、ＣＰＵ１１１は、操作部１１６に図７に示す名刺読取結果画面１０００を表示させる表示処理を行う。ステップＳ１１１２を終えると、名刺情報取得処理が終了する。
【００５３】
次に図７を参照して、名刺情報取得処理を行った後、ＯＣＲ処理により取得した情報に基づいて、操作部１１６に表示される名刺読取結果画面１０００を説明する。
【００５４】
図７の名刺読取結果画面１０００には、名刺画面１００１、名称の拡大画像である名称１００２、ファックス番号の拡大画像であるファックス番号１００６、電子メールアドレスの拡大画像である電子メールアドレス１０１０が表示される。
【００５５】
また名刺読取結果画面１０００には、名称の文字情報を表示する文字情報エリア１００３、ファックス番号の文字情報を表示する文字情報エリア１００７、電子メールアドレスの文字情報を表示する文字情報エリア１０１１も表示される。
【００５６】
また、名刺読取結果画面１０００には、文字情報エリア１００３、１００７、１０１１を編集する編集キー１００４、１００８、１０１２が表示される。編集キー１００４、１００８、１０１２が選択されると、ＣＰＵ１１１は、文字情報を編集するために不図示のソフトキーボードを表示する。ただし、ファックス番号の文字情報を表示する文字情報エリア１００７については、操作部１１６に不図示のテンキーが配されている場合には、ソフトキーボードではなく、テンキーで編集を行ってもよい。
【００５７】
さらに、名刺読取結果画面１０００には、チェックボックス１００５、チェックボックス１００９が表示される。各チェックボックスが選択されることで操作部１１６が、該当する宛先の選択を受付手段として受け付ける。チェックボックス１００５は、ファックス番号を送信宛先として設定するか否かをユーザが選択するチェックボックスであり、チェックボックス１００９は、電子メールアドレスを送信宛先として設定するか否かを選択するチェックボックスである。ここでは、チェックボックス１００５とチェックボックス１００９の一方のみを選択してもよいし、両方選択してもよい。なお、ここでは操作部１１６にチェックボックスを表示することで選択を受け付けたが、この構成に限らない。
【００５８】
名刺読取結果画面１０００には、キャンセルキー１０１３、ＯＫキー１０１５が表示される。キャンセルキー１０１３は、送信宛先の設定を途中で中断して遷移元の画面に戻るためのキーであり、本実施例では、キャンセルキー１０１３が選択されると、ＣＰＵ１１１は、操作部１１６の表示を送信画面５００に戻す。なお、ここでは、ＣＰＵ１１１は、操作部１１６の表示を送信画面５００に戻すとしたが、メニュー画面４００に戻してもよい。
【００５９】
ＯＫキー１０１５は、ユーザが読取結果の確認および修正と、送信宛先の選択が完了すると選択する。そして、ＯＫキー１０１５が選択されると、ＣＰＵは、次の画面に遷移する。例えば、チェックボックス１００９を選択した状態で、ＯＫキー１０１５を選択すると、後述の図８に示す送信画面５１０に遷移し、送信画面５１０には、ＣＰＵ１１１によって、送信宛先として電子メールアドレスが入力される。
【００６０】
次に図８では、図７で選択された宛先が送信宛先として設定された送信画面５１０を説明する。図８（ａ）に示す送信画面５１０には、宛先の指定キー５０５、送信情報設定エリア５０６、送信宛先エリア５０７が表示される。
【００６１】
送信宛先エリア５０７には、ユーザによって設定された送信宛先が表示される。ここでは、名刺読取機能によって設定された電子メールアドレスが送信宛先として設定されている。
【００６２】
そしてユーザは読取部１１８に画像データとして送信したい原稿の読み取り準備を行う。不図示のスタートキーがユーザによって選択されると、読取部１１８が読み取りを行い、生成された画像データが電子メールに添付され、送信宛先に送信される。
【００６３】
なお、図８（ｂ）に示すように、名刺読取機能によって設定された送信宛先が、電子メールアドレスおよびファックス番号でもよい。その場合には、生成された画像データは、電子メールに添付されて送信され、且つ、ファックスとして各送信宛先に送信される。
【００６４】
また、図８（ｃ）に示すように、名刺読取機能によって設定された送信宛先が、ファックス番号のみでもよい。その場合には、生成された画像データはファックスとして送信されるので、図８（ｃ）に示すように、図３のファックスキー４０３を選択した場合のファックス送信画面５２０としてもよい。ただし、図８（ｂ）に示すように、送信画面５１０で送信してもよい。
【００６５】
なお、ここでは、名刺読取機能によって設定された送信宛先のみが送信宛先として設定されている構成を示しているが、画像データの送信を行う前にアドレス帳等から宛先を追加してもよい。
【００６６】
次に図９では、本実施例のＭＦＰの送信フローチャートを説明する。図９のフローチャートに係る処理を実行するためのプログラムは、図２のＲＯＭ１１２またはストレージ１１４に格納されており、ＲＡＭ１１３に読み出されＣＰＵ１１１によって実行される。
【００６７】
図９では、まずステップＳ１１０１で、ＣＰＵ１１１は、ＭＦＰ１０２の操作パネル２０９にメニュー画面４００を表示させる。
【００６８】
ステップＳ１１０２において、操作部Ｉ／Ｆ１１５が送信キー４０２の選択を検出すると、ＣＰＵ１１１は、メニュー画面４００から送信機能へ移行する。
【００６９】
ステップＳ１１０３において、ＣＰＵ１１１は、操作部１１６に送信画面５００を表示させる。
【００７０】
ステップＳ１１０４において、操作部Ｉ／Ｆ１１５が名刺読取キー５０４の選択を検出すると、ＣＰＵ１１１は、ステップＳ１１０７の名刺情報取得処理を開始する。名刺情報取得処理は、図６で説明した処理である。ステップＳ１１０７を終えると、ステップＳ１１１５に遷移する。
【００７１】
ステップＳ１１１５において、操作部Ｉ／Ｆ１１５が編集キー１００４、１００８、１０１２のいずれかのキーの選択を検出すると、ステップＳ１１１６に遷移する。操作部Ｉ／Ｆ１１５が編集キー１００４、１００８、１０１２のいずれかのキーの選択を検出しなければ、ステップＳ１１１７に遷移する。
【００７２】
ステップＳ１１１６において、ＣＰＵ１１１は、ソフトキーボードを操作部１１６に表示して文字情報の編集を可能にする。そして、操作部Ｉ／Ｆ１１５が、文字情報の編集を検出すると、ＣＰＵ１１１は、編集後の文字情報を操作部１１６に表示させる。そして、操作部Ｉ／Ｆ１１５が、ＯＫキー１０１５の選択を検出するとステップＳ１１１７に遷移する。
【００７３】
ステップＳ１１１７において、ＣＰＵ１１１は、送信宛先としてファックス番号を設定するか否かのチェックボックスがオンになっているかを検出する。チェックボックス１００５がオンになっている場合に、ステップＳ１１１８に遷移する。チェックボックス１００５がオフになっている場合に、ステップＳ１１２０に遷移する。
【００７４】
ステップＳ１１１８において、ＣＰＵ１１１は、ファックス番号を送信宛先としてＲＡＭ１１３に保存する。
【００７５】
ステップＳ１１２０において、ＣＰＵ１１１は、送信宛先として電子メールアドレスを設定するか否かのチェックボックス１００９がオンになっているかを検出する。チェックボックス１００９がオンになっている場合に、ステップＳ１１２１に遷移する。チェックボックス１００９がオフになっている場合に、ステップＳ１１２３に遷移する。
【００７６】
ステップＳ１１２１において、ＣＰＵ１１１は、電子メールアドレスを送信宛先としてＲＡＭ１１３に保存する。
【００７７】
ステップＳ１１２３において、ＣＰＵ１１１は、操作部１１６にファックス送信画面５２０または送信画面５１０を表示させる。なお、前述したように、ＣＰＵ１１１は、送信宛先として、ファックス番号だけが設定されている場合には、ファックス送信画面５２０を表示させる。電子メールアドレスのみまたは電子メールアドレスとファックス番号が設定されている場合には、ＣＰＵ１１１は、送信画面５１０を表示させる。ステップＳ１１２３を終えると、ステップＳ１１２５に遷移する。
【００７８】
ステップＳ１１２５において、ＣＰＵ１１１は、読取部１１８において原稿を読み取って画像データを生成する。ステップＳ１１２５を終えると、ステップＳ１１２６に遷移する。
【００７９】
ステップＳ１１２６において、ステップＳ１１２３に示した送信画面５１０およびファックス送信画面５２０に表示された宛先へ、画像データのファックス送信や、画像データが添付された電子メールの送信が行われる。
【００８０】
このような構成によれば、名刺を読み取り、複数の宛先のうち選択した宛先を送信宛先に設定することが可能であり、ユーザ操作性を向上することが可能である。
【００８１】
次に図１０では、本実施例のＭＦＰの宛先登録フローチャートを説明する。図１０のフローチャートに係る処理を実行するためのプログラムは、図２のＲＯＭ１１２またはストレージ１１４に格納されており、ＲＡＭ１１３に読み出されＣＰＵ１１１によって実行される。なお、図９と同様のステップについては同様の番号を付し、説明を省略する。
【００８２】
まずステップＳ１１０１で、ＣＰＵ１１１は、ＭＦＰ１０１の操作部１１６にメニュー画面４００を表示させる。
【００８３】
ステップＳ１２０２において、操作部Ｉ／Ｆ１１５が送信キー４０２の選択を検出すると、ＣＰＵ１１１は、メニュー画面４００から送信機能へ移行し、ステップＳ１１０３に遷移する。
【００８４】
ステップＳ１１０３において、ＣＰＵ１１１は、操作部１１６に図４に示す送信画面５００を表示させる。そして、ステップＳ１１０３からステップＳ１２０４に遷移する。
【００８５】
ステップＳ１２０４において操作部Ｉ／Ｆ１１５が、アドレス帳キー５０１の選択を検出すると、図１１（ａ）に示すアドレス帳登録画面６００を表示する。図１１においてアドレス帳登録画面６００に表示されている新規宛先の登録キー６０１が選択された状態を示している。
【００８６】
図１１（ａ）において、宛先表示エリア６０６には、すでに登録されている宛先が表示される。登録キー６０１は、新規宛先を登録するためのキーである。登録キー６０１が選択されると、選択画面６０２が表示される。選択画面６０２には、電子メールキー６０３、ファックスキー６０４等の登録する宛先の種類または登録の仕方を選択するキーが表示される。電子メールキー６０３は、電子メール宛先を登録するためのキーである。ファックスキー６０４は、ファックス宛先を登録するためのキーである。名刺読取キー６０７は、名刺読取を開始するキーである。
【００８７】
また、図４において、ワンタッチキー５０２が選択された場合には、図１１（ｂ）のワンタッチアドレス帳の登録画面６１０が表示される（ステップＳ１２０８）。図１１（ｂ）では、ユーザが所定の登録番号を選択することで、該登録番号に宛先を登録することが可能になる。ここでは、例として、番号００１に山田一郎がすでに登録されており、且つ、番号００２が新規登録先として選択されている状態を示している。登録／編集キー６１１は、新規宛先の登録キー６０１に対応したキーであり、新規宛先の登録を行うキーである。
【００８８】
一方、ステップＳ１２０２において、操作部Ｉ／Ｆ１１５がファックスキー４０３の選択を検出すると、ＣＰＵ１１１は、メニュー画面４００からファックス機能へ移行し、ステップＳ１２０５に遷移する。ステップＳ１２０５において、ＣＰＵ１１１は、操作部１１６に図１２に示すファックス送信画面２００を表示させる。
【００８９】
図１２に示すファックス送信画面２００は、図３のファックスキー４０３が選択されることで開く画面であり、宛先表示エリア２０１、ワンタッチ領域２０２、アドレス帳キー５０１、ワンタッチキー５０２、名刺読取キー５０４等が表示される。
【００９０】
宛先表示エリア２０１には、すでに送信先として設定されている宛先が表示される。ワンタッチ領域２０２は、後述のワンタッチアドレス帳に登録済みの宛先を選択することが可能である。ファックス送信画面２００が表示されると、ステップＳ１２０６に遷移する。
【００９１】
ステップＳ１２０６において、操作部Ｉ／Ｆ１１５がアドレス帳キー５０１の選択を検出すると、ステップＳ１２０９に遷移し、ＣＰＵ１１１は、図１１（ａ）に示すアドレス帳登録画面６００を表示する。なお、ここでは電子メールキー６０３は表示しなくてもよい。
【００９２】
一方、ステップＳ１２０６において、操作部Ｉ／Ｆ１１５がワンタッチキー５０２の選択を検出すると、ステップＳ１２１０に遷移し、ＣＰＵ１１１は、図１１（ｂ）に示すワンタッチアドレス帳の登録画面６１０を表示する。なお、ここでは電子メールキー６０３は表示しなくてもよい。
【００９３】
ステップＳ１２０９、ステップＳ１２１０、ステップＳ１２０７、及びステップＳ１２０８において、操作部Ｉ／Ｆ１１５が、名刺読取キー６０７の選択を検知する（ステップＳ１１０４）と、ステップＳ１１０７に遷移する。そして、ステップＳ１１０７では、ＣＰＵ１１１は、図６に示した名刺情報取得処理を行う。
【００９４】
ステップＳ１１０７を終えると、ステップＳ１１１５に遷移する。ステップＳ１１１５、ステップＳ１１１６は、図９で説明したため、説明を省略する。ステップＳ１１１５およびステップＳ１１１６を終えると、ステップＳ１２２２に遷移する。
【００９５】
ステップＳ１２２２において、ＣＰＵ１１１は、ファックス番号をアドレス帳またはワンタッチアドレス帳に記憶するか否かのチェックボックスがオンになっているかを検出する。
【００９６】
ステップＳ１２２２において、チェックボックスがオンになっている場合には、ステップＳ１２２３に遷移し、図１３（ｂ）に示すファックスの新規宛先登録画面１０８０を表示する。図１３（ｂ）に示すファックスの新規宛先登録画面１０８０には、名称、ファックス番号の他に、詳細設定１０８２が登録可能である。詳細設定１０８２は、例えば送信情報設定エリア５２５の情報である。
【００９７】
ステップＳ１２２３を終えると、ステップＳ１２２４に遷移する。ステップＳ１２２４では、操作部Ｉ／Ｆ１１５が、キャンセルキー１０８４の選択を検出すると、ステップＳ１２２６に遷移する。一方、操作部Ｉ／Ｆ１１５が、ＯＫキー１０８３の選択を検出するとステップＳ１２２５に遷移し、アドレス帳またはワンタッチアドレス帳にファックス宛先を登録する。そして、ステップＳ１２２６に遷移する。
【００９８】
ステップＳ１２２６において、ステップＳ１２０２で操作部Ｉ／Ｆがファックスキー４０３の選択を検出した場合には、ステップＳ１２３１に遷移し、操作部Ｉ／Ｆが送信キー４０２の選択を検出した場合にはステップＳ１２２７に遷移する。
【００９９】
ステップＳ１２２７において、ＣＰＵ１１１は、電子メールアドレス番号をアドレス帳またはワンタッチアドレス帳に記憶するか否かのチェックボックスがオンになっているかを検出する。
【０１００】
ステップＳ１２２７において、チェックボックスがオンになっている場合には、ステップＳ１２２８に遷移し、図１３（ａ）に示す電子メールの新規宛先登録画面１０９０を表示する。図１３（ａ）に示す新規宛先登録画面１０９０には、名称、電子メールアドレスの他に、宛先表選択リスト１０９１、およびデータ分割等が設定可能であるそして、ＯＫキー１０９３が選択されると、アドレス帳に登録を行う。なお、ここでは不図示だが、詳細な送信設定（例えば送信情報設定エリア５０６の情報）をアドレス帳に登録してもよい。
【０１０１】
ステップＳ１２２８を終えると、ステップＳ１２２９に遷移する。ステップＳ１２２９では、操作部Ｉ／Ｆ１１５が、キャンセルキー１０９４の選択を検出すると、ステップＳ１２３１に遷移する。一方、操作部Ｉ／Ｆ１１５が、ＯＫキー１０９３の選択を検出するとステップＳ１２３０に遷移し、アドレス帳またはワンタッチアドレス帳にファックス宛先を登録する。そして、ステップＳ１２３１に遷移する。
【０１０２】
なお、アドレス帳の登録件数が、既に最大限に達していた場合は、宛先をＨＤＤ２１３には保存せず、操作部１１６にエラー表示を行う。
【０１０３】
Ｓ１２３１にて、ＣＰＵ１１１は、操作部１１６の表示をステップＳ１１０４の前の画面に戻す。具体的には、ステップＳ１２０９またはステップＳ１２０７を介した場合には、ステップＳ１２３４に遷移し、ＣＰＵ１１１は、操作部１１６にアドレス帳登録画面６００を表示させる。一方、ステップＳ１２０８またはステップＳ１２１０を介した場合には、ステップＳ１２３５に遷移し、ＣＰＵ１１１は、操作部１１６にワンタッチアドレス帳の登録画面６１０を表示させる。
【０１０４】
このような構成によれば、名刺を読み取り、選択した宛先をアドレス帳に登録することが可能であり、ユーザ操作性を向上することが可能である。
【０１０５】
なお、本実施例では、複数の宛先を取得するために、名刺を読み取る構成を示したがこれに限られない。例えば、宛先情報を纏めたアドレス表や、所定の用紙に名称や宛先が記載されているもの等に対して、ステップＳ１１０７に示した情報取得処理を行うことで、複数の宛先を取得してもよい。その場合であっても、図５において説明したように、まずＯＣＲ結果から原稿情報（ファックス番号や電子メールアドレス等の宛先、名称等）を取得する。そして、ＣＰＵ１１１は、取得した原稿情報から、ファックス宛先であるか、電子メールアドレスであるか、名称であるか等を判定し、宛先情報を取得する。
【０１０６】
さらに、本実施例では、名刺に電子メールアドレスが１つ記載されている構成を示したが、複数記載され、名刺読取結果画面においてそれぞれの電子メールアドレスが選択可能であってもよい。これは、ファックス番号においても同様である。
【０１０７】
また、本実施例では、操作部が画像送信装置に含まれる構成を示したがこれに限られない。例えば、通信を介して画像送信装置と接続可能なＰＣ等の情報端末に操作部が含まれていてもよい。
【０１０８】
（その他の実施例）
以上、本発明の様々な実施例を示して説明したが、本発明の趣旨と範囲は、本明細書内の特定の説明に限定されるものではない。
【０１０９】
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１１０】
１０１  画像送信装置
１１１  ＣＰＵ
１１５  操作部Ｉ／Ｆ
１１６  操作部
１１７  読取部Ｉ／Ｆ
１１８  読取部
４０２  送信キー
【図１】
2019087826.tif 000003
【図２】
2019087826.tif 000004
【図３】
2019087826.tif 000005
【図４】
2019087826.tif 000006
【図５】
2019087826.tif 000007
【図６】
2019087826.tif 000008
【図７】
2019087826.tif 000009
【図８】
2019087826.tif 000010
【図９】
2019087826.tif 000011
【図１０】
2019087826.tif 000012
【図１１】
2019087826.tif 000013
【図１２】
2019087826.tif 000014
【図１３】
2019087826.tif 000015